(57)【要約】  【課題】複数の収納室を備えた自動販売機において、ダンパーにより風路を切り替えることにより一つのケース内に収納された一つの冷却サイクルによって各収納室を独立して温度調節する。  【解決手段】複数の収納室と、仕切り板１４により複数の収納室と区画された機械室１５を備えた自動販売機本体１０と、複数の収納室内に備えた複数のファンと、機械室１５に収納された冷却ユニットとを備え、複数の収納室の仕切り板１４には、それぞれ本体側吹き出し口１６、１７と、本体側吸い込み口とを備え、冷却ユニットは、少なくとも蒸発器４２を断熱材で囲った冷却室４４を備え、冷却室４４に本体側吹き出し口１６、１７と本体側吸い込み口に対向して、ユニット側吹き出し口４５、４６とユニット側吸い込み口を備えた自動販売機。【選択図】図４
2008134888.tif 000002
【特許請求の範囲】
【請求項１】
複数の収納室と、仕切り板により複数の前記収納室と区画された機械室を備えた自動販売機本体と、複数の前記収納室内に備えた複数のファンと、前記機械室に収納され、少なくとも冷却器を備えた冷却ユニットとからなり、複数の前記収納室の前記仕切り板には、それぞれ本体側吹き出し口と、本体側吸い込み口とを備え、前記冷却ユニットは、少なくとも前記冷却器を断熱材で囲った冷却室を備え、前記冷却室に前記本体側吹き出し口と前記本体側吸い込み口に対向して、ユニット側吹き出し口とユニット側吸い込み口を備えた自動販売機。
【請求項２】
本体側吹き出し口またはユニット側吹き出し口を開口、閉塞する吹き出しダンパーと、本体側吸い込み口またはユニット側吸い込み口を開口、閉塞する吸い込みダンパーを備えた請求項１に記載の自動販売機。
【請求項３】
複数の収納室内の少なくとも１室に、ファン吸い込み側の風路を本体側吹き出し口側の冷却風路と、収納室内側の加温風路に仕切る風路仕切りと、前記加温風路を開口、閉塞する加温ダンパーと、加温手段とを備えた請求項２に記載の自動販売機。
【請求項４】
ユニット側吹き出し口の周囲と、本体側吹き出し口の周囲の間、及びユニット側吸い込み口の周囲と、本体側吸い込み口の周囲の間に弾性体からなるシール部材を備えた請求項１から３のいずれか一項に記載の自動販売機。
【請求項５】
機械室内で冷却ユニットを仕切り板方向へ移動させる昇降手段を設け、前記昇降手段により前記冷却ユニットを仕切り方向へ移動させた時に、冷却室と仕切り板が密着するか、またはシール部材がユニット側吹き出し口の周囲と、本体側吹き出し口の周囲及び、ユニット側吸い込み口の周囲と、本体側吸い込み口の周囲に密着するような移動量とした請求項１から４のいずれか一項に記載の自動販売機。
【請求項６】
冷却ユニットを、一つの箱体に収納したカセット型ユニットとした請求項１から５のいずれか一項に記載の自動販売機。
【発明の詳細な説明】
【技術分野】
【０００１】
本発明は、自動販売機の冷却ユニットの収納構造に関し、特に複数の収納室を備えた自動販売機において、簡単な構造で所定の状態に収納できる自動販売機に関するものである。
【背景技術】
【０００２】
通常、缶ビン自動販売機は、自動販売機本体下部に圧縮機、凝縮器を配置し、各収納室内に蒸発器を配置するため、蒸発器は入口側、出口側の配管のみで支持されており、冷却ユニット脱着時には蒸発器のみが非常に不安定な状態となるため、特に複数の収納室を備えた自動販売機においては、不安定な蒸発器が複数個あり、脱着作業がしにくく、サービス性が悪かった。
【０００３】
この課題を解決する自動販売機として、カセット型の冷却ユニット内に圧縮機、凝縮器、減圧手段、蒸発器を全て収納し、機械室内に納める構成とした自動販売機が提案されている（特許文献１）。
【０００４】
以下、図面を参照しながら上記従来の自動販売機を説明する。
【０００５】
図５は従来の自動販売機の縦断面図である。図５に示すように、自動販売機本体１は、仕切り板２により仕切られた１つの収納室３と機械室４を備えている。機械室４内には内部に冷却サイクル部品（図示せず）を全て収納したケース５が収納されている。
【０００６】
仕切り板２には冷却サイクルの冷気を収納室３内に導入する導風口６を備えており、ケース５の導風口６と対向する位置には冷却サイクルの冷気を収納室３内に吹き出す吹き出し口７を備えている。
【０００７】
また、導風口６の周囲と吹き出し口７の周囲の間にはシール部材８を備えており、ベース板９によりケース５を仕切り板２側に押しつけることにより、シール部材８を導風口６の周囲及び吹き出し口７の周囲と密着させている。
【０００８】
以上のように構成された自動販売機について、以下その動作を説明する。
【０００９】
自動販売機冷却中、ケース５内に収納された冷却サイクルとファン（図示せず）により吹き出された冷却風は、吹き出し口７から導風口６を通り収納室３内へと吹き出される。
【００１０】
これにより収納室３内が冷却されるが、この時ベース板９によりケース５が仕切り板２側に押しつけられており、シール部材８が導風口６の周囲及び吹き出し口７の周囲と密着しているため、冷却風は機械室４内へと漏れ出ることはない。
【００１１】
また、サービス時に冷却サイクルを自動販売機本体１から取り出す際にも、冷却サイクルの全部品がケース５内に収納されており、不安定な部品が無く、作業性を向上させることができた。
【特許文献１】特開２００１−３５１１６２号公報
【発明の開示】
【発明が解決しようとする課題】
【００１２】
しかしながら、自動販売機は収納室３を複数個備えたものが大半であり、そのような自動販売機においては、商品の売れ行きによって冷却負荷にアンバランスが生じ、冷却が必要な収納室と冷却が不要な収納室が発生する。
【００１３】
このような構成に、従来の構成を適用しようとすると、必要に応じて各室に冷却風を振り分けることができないため、全ての冷却室が所定の温度以下になるまで冷却運転をすることにより、冷却が不要な冷却室の商品が冷却過多となり、凍結してしまう恐れがあった。
【００１４】
また、複数の冷却サイクルを用いて複数の収納室を独立して冷却することにより、冷却負荷のアンバランスに対応することは可能となるが、冷却サイクルが複数個必要となり、コストが高くなるだけでなく、かえって作業性が悪くなる恐れがあった。
【００１５】
本発明は、上記従来の課題を解決するもので、一つのカセット内に収納した一つの冷却サイクルによって複数の収納室を独立して冷却することにより、より安価で、幅広い機種数に対応した、サービス性の高い自動販売機を提供することを目的とする。
【課題を解決するための手段】
【００１６】
上記従来の課題を解決するために、本発明の自動販売機は、複数の収納室と、仕切り板により複数の収納室と区画された機械室を備えた自動販売機本体と、複数の収納室内に備えた複数のファンと、機械室に収納され、少なくとも冷却器を備えた冷却ユニットとからなり、複数の収納室の仕切り板には、それぞれ本体側吹き出し口と、本体側吸い込み口とを備え、冷却ユニットは、少なくとも冷却器を断熱材で囲った冷却室を備え、冷却室に本体側吹き出し口と本体側吸い込み口に対向して、ユニット側吹き出し口とユニット側吸い込み口を備えたものである。
【００１７】
これによって、各収納室内のファンの運転、停止によって冷却室内の冷気を複数の収納室に独立して分配することができる。
【００１８】
また、本体側吹き出し口またはユニット側吹き出し口を開口、閉塞する吹き出しダンパーと、本体側吸い込み口またはユニット側吸い込み口を開口、閉塞する吸い込みダンパーを備えたものである。
【００１９】
これによって、対応する収納室の冷却が不要な時にはダンパーを閉塞することにより、冷却室内の冷気が収納室に漏れたり、他の収納室へと冷気が流れ出たりすることはなく、より安定した温度調節が可能となる。
【００２０】
また、複数の収納室内の少なくとも１室に、ファン吸い込み側の風路を本体側吹き出し口側の冷却風路と、収納室内側の加温風路に仕切る風路仕切りと、加温風路を開口、閉塞する加温ダンパーと、加温手段とを備えたものである。
【００２１】
これによって、商品を加温する自動販売機においてもサービス性を高めることができる。
【００２２】
また、ユニット側吹き出し口の周囲と、本体側吹き出し口の周囲の間、及びユニット側吸い込み口の周囲と、本体側吸い込み口の周囲の間に弾性体からなるシール部材を備えたものである。
【００２３】
これによって、シール部材により冷却室及び収納室と機械室が隔離され、冷却室内の冷気が機械室内へと漏れ出ることはなく、冷却効率を高くできる。
【００２４】
また、機械室内で冷却ユニットを仕切り板方向へ移動させる昇降手段を設け、昇降手段により冷却ユニットを仕切り方向へ移動させた時に、冷却室と仕切り板が密着するか、またはシール部材がユニット側吹き出し口の周囲と、本体側吹き出し口の周囲及び、ユニット側吸い込み口の周囲と、本体側吸い込み口の周囲に密着するような移動量としたものである。
【００２５】
これによって、冷却室及び収納室と機械室の気密性がより高くなり、冷却効率をより高くできる。
【００２６】
また、冷却ユニットを、一つの箱体に収納したカセット型ユニットとしたものである。
【００２７】
これによって、冷却ユニットは一つのカセットの中に一体に収納され、サービスの際に冷却ユニットの脱着がより簡単になる。
【発明の効果】
【００２８】
本発明の自動販売機は、一つの箱体に収納した冷却ユニットにより複数の収納室を独立して冷却、加温する事ができ、より幅広い機種数に対応してサービス性を高めることができる。
【発明を実施するための最良の形態】
【００２９】
請求項１に記載の発明は、複数の収納室と、仕切り板により複数の収納室と区画された機械室を備えた自動販売機本体と、複数の収納室内に備えた複数のファンと、機械室に収納され、少なくとも冷却器を備えた冷却ユニットとからなり、複数の収納室の仕切り板には、それぞれ本体側吹き出し口と、本体側吸い込み口とを備え、冷却ユニットは、少なくとも冷却器を断熱材で囲った冷却室を備え、冷却室に本体側吹き出し口と本体側吸い込み口に対向して、ユニット側吹き出し口とユニット側吸い込み口を備えたことにより、ファンの運転、停止によって冷却室内の冷気を複数の収納室に独立して分配することができるので、より幅広い機種数に対応したサービス性の高い自動販売機とすることができる。
【００３０】
請求項２に記載の発明は、本体側吹き出し口またはユニット側吹き出し口を開口、閉塞する吹き出しダンパーと、本体側吸い込み口またはユニット側吸い込み口を開口、閉塞する吸い込みダンパーを備えたことにより、対応する収納室の冷却が不要な時にはダンパーを閉塞して冷却室内の冷気が収納室に漏れたり、他の収納室へと冷気が流れ出たりすることを防ぐことができるので、より安定した温度調節が可能となり、商品の温度品質の高い自動販売機とすることができる。
【００３１】
請求項３に記載の発明は、複数の収納室内の少なくとも１室に、ファン吸い込み側の風路を本体側吹き出し口側の冷却風路と、収納室内側の加温風路に仕切る風路仕切りと、加温風路を開口、閉塞する加温ダンパーと、加温手段とを備えたことにより、商品を加温する自動販売機においてもサービス性を高めることができ、より幅広い機種数に対応したサービス性の高い自動販売機とすることができる。
【００３２】
請求項４に記載の発明は、ユニット側吹き出し口の周囲と、本体側吹き出し口の周囲の間、及びユニット側吸い込み口の周囲と、本体側吸い込み口の周囲の間に弾性体からなるシール部材を備えたことにより、シール部材により冷却室及び収納室と機械室が隔離され、冷却室内の冷気が機械室内へと漏れ出ることはなく、冷却効率を高くでき、効率の高い自動販売機とすることができる。
【００３３】
請求項５に記載の発明は、機械室内で冷却ユニットを仕切り板方向へ移動させる昇降手段を設け、昇降手段により冷却ユニットを仕切り方向へ移動させた時に、冷却室と仕切り板が密着するか、またはシール部材がユニット側吹き出し口の周囲と、本体側吹き出し口の周囲及び、ユニット側吸い込み口の周囲と、本体側吸い込み口の周囲に密着するような移動量としたことにより、冷却室及び収納室と機械室の気密性がより高くなり、冷却効率をより高くでき、より効率の高い自動販売機とすることができる。
【００３４】
請求項６に記載の発明は、冷却ユニットを、一つの箱体に収納したカセット型ユニットとしたことにより、冷却ユニットは一つのカセットの中に一体に収納され、サービスの際に冷却ユニットの脱着がより簡単になり、よりサービス性が高い自動販売機とすることができる。
【００３５】
以下、本発明の実施の形態について、図面を参照しながら説明する。なお、この実施の形態によってこの発明が限定されるものではない。
【００３６】
また、従来と同一構成についてはその動作、作用は同様であり、説明を省略する。
【００３７】
（実施の形態１）
図１は本発明の実施の形態１による自動販売機の第１収納室が冷却中の縦断面図である。図２は同実施の形態の自動販売機の第１収納室が加温中の縦断面図である。図３は同実施の形態の自動販売機の第１収納室が冷却、加温停止中の縦断面図である。図４は同実施の形態の自動販売機のドアを開けた状態の正面図である。
【００３８】
図１から図４において、自動販売機本体１０は、上部にバリア１１によって仕切られた第１収納室１２と、第２収納室１３と、下部に仕切り板１４により第１収納室１２及び第２収納室１３と仕切られた機械室１５を備えている。
【００３９】
各収納室１２、１３の仕切り板１４部には、本体側吹き出し口１６及び１７、本体側吸い込み口１８及び１９（図示せず）が開口している。
【００４０】
第１収納室１２及び第２収納室１３内には、各収納室内に風を撹拌させるファン２０及び２１と、ファン２０、２１の風の流れの下流側には収納室内を加温するヒータ２２及び２３とを備えている。また、ファン２０、２１の吸い込み側は風路仕切り２４及び２５（図示せず）によって冷却風路２６及び２７（図示せず）と、加温風路２８及び２９（図示せず）と、吸い込み風路３０及び３１に仕切られており、冷却風路２６、２７には冷却ダンパー３２及び３３（図示せず）、加温風路２８、２９には加温ダンパー３４及び３５（図示せず）を、吸い込み風路３０、３１（図示せず）には吸い込みダンパー３６及び３７（図示せず）を備えている。
【００４１】
機械室１５内にはケース３８内に収納され、圧縮機３９、凝縮器４０、減圧手段４１、蒸発器４２からなる冷却サイクル４３を格納しており、ケース３８内は少なくとも蒸発器４２を囲うように断熱材で形成された冷却室４４を構成している。
【００４２】
冷却室４４は、ケース３８が機械室１５内に格納された際に本体側吹き出し口１６、１７及び本体側吸い込み口１８、１９と対向する位置にユニット側吹き出し口４５及び４６とユニット側吸い込み口４７及び４８（図示せず）を備えており、各収納室１２、１３と冷却室４４を連通している。
【００４３】
また、ユニット側吹き出し口４５、４６の周囲及びユニット側吸い込み口４７、４８の周囲にはシール部材４９を備えている。
【００４４】
機械室１５内に備えたベース板５０は、昇降手段（例えばクランク型のレバー５１の回転による）により機械室１５内で昇降可能に設置されており、ベース板５０が仕切り板１４側に移動することによりシール部材４９が本体側吹き出し口１６、１７の周囲及び本体側吸い込み口１８、１９の周囲と密着する。
【００４５】
以上のように構成された自動販売機について、以下その動作を説明する。
【００４６】
まず、収納室が冷却設定の場合の一例について、第１収納室１２が冷却設定の場合について説明する。第１収納室１２が冷却設定の際には、冷却ダンパー２８及び吸い込みダンパー３６が開き、加温ダンパー３４が閉じることにより、第１収納室１２内の空気が吸い込み風路３０から本体側吸い込み口１８、ユニット側吸い込み口４７を流れ、冷却室４４内へと吸い込まれ、ユニット側吹き出し口４５、本体側吹き出し口１８から冷却風路２６を流れ、ファン２０によって第１収納室１２内へと撹拌され冷却される。
【００４７】
この時、第１収納室１２が所定の温度に達し、冷却不要となった場合には、吸い込みダンパー３６及び冷却ダンパー３２が閉じることにより冷気が第１収納室１２内へと撹拌されることはない。
【００４８】
また、第１収納室１２が冷却停止中で且つ、第２収納室１３が冷却中の時に第１収納室内の冷却ダンパー３２または吸い込みダンパー３６が開いていると、第１収納室内１２内の空気が冷却室４４を介して第２収納室１３へと吸い込まれ、第１収納室１２内の温度が上昇する恐れがある。本実施の形態では、第１収納室１２が冷却停止中には冷却ダンパー３２及び吸い込みダンパー３６が閉じているため第１収納室１２内の空気が第２収納室１３へと流れることはなく、温度変動を抑制することができる。
【００４９】
従って、吸い込みダンパー３６及び冷却ダンパー３２の開閉により第１収納室１２内を所定の温度に保つことができる。
【００５０】
次に、収納室が加温設定の場合の一例について、第１週納室１２が加温設定の場合について説明する。第１収納室１２が加温設定の際には冷却ダンパー２８及び吸い込みダンパー３６が閉じ、加温ダンパー３４が開くことにより、ファン２０により、第１収納室１２内の空気が加温風路２８からヒータ２２を通過し、ヒータ２２を通電することにより温風が第１収納室１２内へと撹拌され加温される。
【００５１】
この時、第１収納室１２が所定の温度に達し、加温不要となった場合には、ヒータ２２へ通電しないことにより第１収納室１２が加温されることはない。
【００５２】
従って、ヒータ２２のオンオフにより第１収納室１２内を所定の温度に保つことができる。
【００５３】
また、冷却サイクル４３が運転中には、レバー５１が起きていることにより、ベース板５０が仕切り板１４側に移動しており、シール部材４９が本体側吹き出し口１６、１７及び本体側吸い込み口１８、１９の周囲に密着していることにより、冷却室４４内の冷気は機械室１５へと漏れ出ることはない。
【００５４】
そして、自動販売機のサービス時に冷却サイクル４３を取り外す必要がある際には、レバー５１を倒すことによりベース板５０が仕切り板１４と逆方向に移動し、仕切り板１４とシール部材４９が離れ、冷却サイクル４３の入ったケース３８を取り外すことができる。この時、冷却サイクル４３の部品は全てケース３８内に収納されており、不安定な部品がないことから、用意にケース３８を機械室１５内から取り出すことができる。
【００５５】
従って、本発明によれば複数の収納室を備えた自動販売機においても一つのケース３８内に収納した一つの冷却サイクル４３によって各室を独立に冷却、加温することができるため、より安価で、幅広い機種数に対応した、サービス性の高い自動販売機とすることができる。
【００５６】
なお、本実施の形態において、冷却サイクルは圧縮機３９、凝縮器４０、減圧手段４１、蒸発器４２からなる蒸気圧縮式冷却サイクルを用いたが、冷却器を備えたサイクルであればいかなるサイクルでも同様の効果が得られる。
【００５７】
また、本実施の形態において、収納室は２つとして説明したが、複数の収納室であれば、３室でも４室でも同様の効果が得られ、収納室が１つの場合にももちろん効果は得られる。
【００５８】
また、本実施の形態において、昇降手段としてはクランク型のレバー５１を用いたが、ベース板５０を昇降させる機能があればどのような手段でもよく、例えばベース板５０に仕切り板１４側からボルトを通し、ボルトを締めることによりベース板５０の下にボルトが突出することによりベース板５０を昇降させることにより、より小さい力でベース板５０を昇降させることができる。
【００５９】
また、本実施の形態において、シール部材４９を本体側吹き出し口１６、１７及び本体側吸い込み口１８、１９に密着させる手段としてベース板５０を昇降させる手段を用いて説明したが、この手段では経年劣化によりシール部材５０が圧縮されてくるとシール効果が低くなるため、例えばシール部材５０の中にマグネットを入れ、本体側吹き出し口１６、１７及び本体側吸い込み口１８、１９の周囲をマグネットの吸着する材料（例えば鉄）とすることにより、より簡単に確実にシールすることができる。
【００６０】
また、冷却加温停止中のファン２０は運転していても停止していても同様の効果が得られる。
【産業上の利用可能性】
【００６１】
以上のように、本発明にかかる自動販売機は、ダンパーにより風路を切り替えることにより冷却室の冷気を各収納室に振り分けることができるので、収納室を複数個備えた全ての機器に適用できる。
【図面の簡単な説明】
【００６２】
【図１】本発明の実施の形態１による自動販売機の第１収納室が冷却中の縦断面図
【図２】同実施の形態の自動販売機の第１収納室が加温中の縦断面図
【図３】同実施の形態の自動販売機の第１収納室が冷却、加温停止中の縦断面図
【図４】同実施の形態の自動販売機のドアを開けた状態の正面図
【図５】従来の自動販売機の縦断面図
【符号の説明】
【００６３】
１０  自動販売機本体
１２  第１収納室
１３  第２収納室
１４  仕切り板
１５  機械室
１６，１７  本体側吹き出し口
１８，１９  本体側吸い込み口
２０，２１  ファン
２２，２３  ヒータ
２４，２５  風路仕切り
２６，２７  冷却風路
２８，２９  加温風路
３４，３５  加温ダンパー
３６，３７  吸い込みダンパー
４４  冷却室
４５，４６  ユニット側吹き出し口
４７，４８  ユニット側吸い込み口
４９  シール部材
【図１】
2008134888.tif 000003
【図２】
2008134888.tif 000004
【図３】
2008134888.tif 000005
【図４】
2008134888.tif 000006
【図５】
2008134888.tif 000007